(57)【要約】【課題】発射レール上への遊技球の供給に際して、遊技球発射装置のベース板を削ることなく、また、早期に安定した姿勢で発射待機位置に球座りよく位置させ、所望の軌跡で遊技球が打ち出せるようにすること。【解決手段】発射レール１７０が遊技球発射装置３８のベース板１７１の表面に近接して設けられ、該ベース板１７１と反対側の上方位置から前記発射レール１７０上に遊技球が供給され、該遊技球を前記遊技球発射装置３８により遊技領域に向けて打ち出すように構成された遊技機。前記発射レール１７０のうち、供給された遊技球を受ける位置から後方の発射待機位置までの間に亘り、前記ベース板１７１に衝撃吸収部材１７５を配置した。【選択図】  図２２
2015221279.tif 000002
【特許請求の範囲】
【請求項１】
遊技盤、開口部を有するベース板、前記ベース板の前面側に設けられ遊技球が供給される発射レール、前記ベース板の前面側に設けられ前記発射レールの側方から前記発射レールに遊技球を供給する球送り機構、前記ベース板の前面側に設けられ前記発射レールを介して遊技球を前記遊技盤に打ち出す遊技球発射装置、及び、前記発射レールにおける遊技球の供給位置に対応して遊技球の供給側と反対側に配置され遊技球が衝突した場合の遊技球の反跳力を緩和する衝撃吸収部材を含む第１構造体と、前記第１構造体の背面側に開閉可能に設けられた第２構造体とを備える遊技機であって、
前記ベース板の背面は前記第1構造体に対する前記第２構造体の開状態において露出され、
前記衝撃吸収部材は、前記開状態において前記ベース板の背面側から着脱可能に取り付けられ、前記ベース板の前記開口部に配置される衝撃吸収部と、前記衝撃吸収部の周縁から延出して前記ベース板の背面側に配置される取り付け部とを有する、
ことを特徴とする遊技機。
【請求項２】
前記球送り機構を前記ベース板に対して回動可能に支持する支持機構を有し、
前記球送り機構は、前記衝撃吸収部の前方を覆う配置と、前記衝撃吸収部を露出させる配置とをとる、
請求項１に記載の遊技機。
【発明の詳細な説明】
【技術分野】
【０００１】
本発明は、パチンコ機に代表される遊技機に関するものである。
【背景技術】
【０００２】
発射レール上に遊技球が供給され、該遊技球を遊技球発射装置により遊技領域に向けて打ち出すように構成された遊技機がある。
このような構成の遊技機としては、次のものが挙げられる。
【先行技術文献】
【特許文献】
【０００３】
【特許文献１】特開２００７−２０１１７３号公報
【発明の概要】
【発明が解決しようとする課題】
【０００４】
上記構成の遊技機においては、例えば発射レールの側方近傍にその側壁を配置するベース板と反対側の上方位置から前記発射レール上に遊技球が供給されると、その落下の勢いにより発射レール上で跳ね、例えばこの発射レールが比較的柔らかい金属などで成形されているような場合には、この側壁を削ってしまって、その削り塵埃が発射レールに溜まって遊技球の軌道を歪めたり、その側壁に衝突して跳ね返ることとなって不安定な姿勢で発射待機位置に到達し、打球部により打ち出された際に軌道が定まらなくなり、遊技者の思い通りの打球とならないという問題がある。
又、前記発射レールは、例えばＶ溝形状又はＵ溝形状等のように形成されて少ない接点（２点又は３点）で遊技球を保持しながら誘導させるように構成されることが多く、この場合には前記発射レールの真上から遊技球が供給されるように設計された遊技機であっても、例えば球送り機構などの部材の変形などによって生じる微小な供給位置のずれによって発射レール上で遊技球が跳ねることが考えられる。
【０００５】
本発明は、かかる問題点に鑑みて案出されたものであり、発射レールへ供給された遊技球を早期に安定した姿勢にすることを目的とする。
【課題を解決するための手段】
【０００６】
上記の課題を解決するために、本発明に係る遊技機は、
遊技盤、開口部を有するベース板、前記ベース板の前面側に設けられ遊技球が供給される発射レール、前記ベース板の前面側に設けられ前記発射レールの側方から前記発射レールに遊技球を供給する球送り機構、前記ベース板の前面側に設けられ前記発射レールを介して遊技球を前記遊技盤に打ち出す遊技球発射装置、及び、前記発射レールにおける遊技球の供給位置に対応して遊技球の供給側と反対側に配置され遊技球が衝突した場合の遊技球の反跳力を緩和する衝撃吸収部材を含む第１構造体と、前記第１構造体の背面側に開閉可能に設けられた第２構造体とを備える遊技機であって、
前記ベース板の背面は前記第1構造体に対する前記第２構造体の開状態において露出され、
前記衝撃吸収部材は、前記開状態において前記ベース板の背面側から着脱可能に取り付けられ、前記ベース板の前記開口部に配置される衝撃吸収部と、前記衝撃吸収部の周縁から延出し、前記ベース板の背面側に配置される取り付け部とを有する、
ことを特徴とする。
【発明の効果】
【０００７】
本発明によれば、発射レールへ供給された遊技球を早期に安定した姿勢にすることができる。
【図面の簡単な説明】
【０００８】
【図１】本発明にかかる遊技機の一例であるパチンコ機の正面図である。
【図２】本発明にかかる遊技機の一例であるパチンコ機の斜視図である。
【図３】本発明にかかる遊技機の一例であるパチンコ機の前面枠の斜視図である。
【図４】本発明にかかる遊技機の一例であるパチンコ機に対して前面枠を開いた状態を示す斜視図である。
【図５】本発明にかかる遊技機の一例であるパチンコ機に対して前面枠を開いた状態を示す正面図である。
【図６】本発明にかかる遊技機の一例であるパチンコ機の遊技盤の正面図である。
【図７】本発明にかかる遊技機の一例であるパチンコ機の背面図である。
【図８】本発明にかかる遊技機の一例であるパチンコ機のセット板を開いた背面の斜視図である。
【図９】本発明にかかる遊技機の一例であるパチンコ機の遊技盤の裏面の斜視図である。
【図１０】本発明にかかる遊技機の一例であるパチンコ機の遊技盤の裏面の第１基板ケースを開放した状態の斜視図である。
【図１１】本発明にかかる遊技機の一例であるパチンコ機の遊技盤の裏面の第１基板ケース、連結台座部材、スペーサー（中間部材）および球集合板を外して分解した状態の斜視図である。
【図１２】本発明にかかる遊技機の一例であるパチンコ機の遊技盤の裏面に、スペーサー（中間部材）を設け、第１基板ケースおよび連結台座部材をそれぞれ外し、スペーサー（中間部材）を開放した状態の斜視図である。
【図１３】本発明にかかる遊技機の一例であるパチンコ機の遊技球発射装置付近の拡大正面図である。
【図１４】本発明にかかる遊技機の一例であるパチンコ機の遊技球発射装置付近の分解斜視図である。
【図１５】本発明にかかる遊技機の一例であるパチンコ機の遊技球発射装置付近の縦断側面図である。
【図１６】本発明にかかる遊技機の一例であるパチンコ機の遊技球発射装置の付近の本体部を外した一部切り欠き斜視図である。
【図１７】本発明にかかる遊技機の一例であるパチンコ機の遊技球発射装置の付近の本体部を組みつけた一部切り欠き斜視図である。
【図１８】本発明にかかる遊技機の一例であるパチンコ機の遊技球発射装置のベース板の背面図である。
【図１９】本発明にかかる遊技機の一例であるパチンコ機の衝撃吸収部材の前面側からの斜視図である。
【図２０】本発明にかかる遊技機の一例であるパチンコ機の衝撃吸収部材の正面図である。
【図２１】本発明にかかる遊技機の一例であるパチンコ機の衝撃吸収部材の背面図である。
【図２２】本発明にかかる遊技機の一例であるパチンコ機の遊技球発射装置付近の球送り機構を開いた状態の拡大正面図である。
【発明を実施するための形態】
【０００９】
本発明にかかる遊技機は、手段１として、
発射レールが遊技球発射装置のベース板の表面に近接して設けられ、該ベース板と反対側の上方位置から前記発射レール上に遊技球が供給され、該遊技球を前記遊技球発射装置により遊技領域に向けて打ち出すように構成された遊技機であって、
前記発射レールのうち、供給された遊技球を受ける位置から後方の発射待機位置までの間に亘り、前記ベース板に第１の衝撃吸収部材を配置した、
ことを特徴とする。
このように構成したことで、発射レールに遊技球が供給されるときに、遊技球発射装置のベース板と反対側の上方位置から遊技球が斜めに落下、供給されると、遊技球は発射レールに衝突すると共に勢い余って反対側のベース板に衝突することになるが、この位置に第１の衝撃吸収部材を配置したことで、その衝突エネルギーを吸収し、遊技球が発射レール上で踊ってしまうことを回避させ、直ちに安定した状態で発射待機位置に落ち着かせることができる。これにより、遊技球の球座りを改善できて、常に安定した姿勢で遊技球発射装置による打ち出しが行い得て、遊技球の軌道が安定し、遊技者の意図した位置に遊技球を打ち出すことができて、ファール球が低減されるのである。
そして、これまで、遊技球（通常鋼球）がベース板（通常アルミニウム合金）に衝突することで、ベース板が削られ、塵埃が発生して発射レール上に溜まり、発射状態が悪化することがあったが、こうした問題も解消される。
勿論、ベース板が削られることにより、遊技球の踊りが一層助長されるといった事態も未然に回避できることになる。
本発明において、遊技領域とは、例えば外レール及び内レールによって囲われた領域を言う。
また、供給された遊技球を受ける発射レールの位置とは、例えば遊技球発射装置のベース板と反対側の上方位置から前記発射レール上に遊技球が供給されるところを指す。
そして、発射待機位置とは、例えば遊技球が、発射作用（打突）の寸前に停止されている位置を言う。具他的には、発射レールの下端部と、その上方の球待ち部材とによって遊技球が停止され、位置保持されるところの位置を指す。
更に、衝撃吸収部材とは、衝撃を緩和させる緩衝材で、衝撃を緩和させるか否かは例えば材料によって特定してもよい。この場合の緩衝材とは、衝撃力を吸収する低反発弾性を備えた素材からなるもので、例えば、制振ゴム、エラストマー、或いはこれに類する素材のものが挙げられる。その他、ベース板と比較して軟性質のものを緩衝材としてもよい。
【００１０】
本発明にかかる遊技機は、手段２として、
遊技球を所定個数ずつ送り出す球送り機構と、遊技球を遊技領域に向けて打ち出す遊技球発射装置と、遊技球が前記遊技球発射装置による打球動作を受けるべく待機する発射待機位置から前記遊技球発射装置により遊技球が発射される方向へ上り傾斜する傾斜面を有し前記傾斜面のうち前記発射待機位置よりも上流側で前記球送り機構により供給された遊技球を受ける発射レールと、を備え、前記球送り機構により供給された遊技球が前記傾斜面に沿って前記発射待機位置に移動するとともに、前記発射待機位置において前記遊技球発射装置により打ち出された遊技球が前記傾斜面に沿って移動して前記遊技領域に向かうように構成され、前記傾斜面が、遊技球の下半部を両側からそれぞれ支える２つの面を有し上方に向けて開放された溝状に形成されている遊技機であって、
表面を前記発射レールの側方に沿わせるようにして前記発射レールが取り付けられるベース板を備え、前記発射レールのうち、前記球送り機構により供給された遊技球を受ける位置から前記発射待機位置までの間に沿った前記表面の所定箇所に、遊技球が接触した場合の衝撃を緩和させる第１の衝撃吸収部材を配置したことを特徴とする。
このように構成したことで、発射レールの傾斜面が遊技球の下半部を支える構成とした場合には、遊技球が遊技球発射装置により発射される際の抵抗を少なくでき安定した発射を行い易くすることができるが、その分発射レール上に供給された遊技球の暴れが長引く虞がある。本発明の構成とすることにより、発射レール上で暴れた遊技球が衝撃吸収部材に接触した際にその衝撃を緩和させることができ、遊技球の暴れを低減させて安定した発射を実現することができるようになる。
【００１１】
手段３：手段１又は手段２の遊技機において、
前記ベース板に主開口部が設けられ、前記第１の衝撃吸収部材が前記主開口部に嵌入される衝撃吸収部位と、前記ベース板に取り付けるための取り付け部位とから構成され、該取り付け部位により前記ベース板の裏面に取り付けられていることを特徴とする。
このように、第１の衝撃吸収部材を衝撃吸収部位と取り付け部位から構成し、全体が、前記衝撃吸収部位よりも大きくなったことと、ベース板の裏面から取り付け部位により取り付けられることで、その取り付け部位が鍔となって、剥がれ難くなるという利点がある。
【００１２】
手段４：手段１乃至手段３の遊技機において、
前記ベース板に、前記主開口部から離れて少なくとも一つの止め付け用開口部が設けられ、前記第１の衝撃吸収部材の取り付け部位に、前記止め付け用開口部に嵌入される突起が設けられていることを特徴とする。
このように、前記ベース板に、少なくとも一つの止め付け用開口部を設け、前記取り付け部位に、前記止め付け用開口部に嵌入される突起を設けることで、この第１の衝撃吸収部材を嵌合手段によって前記ベース板に止め付けることができるのであり、ネジ等を用いることなく簡単に取り付け、取り外しを行い得る。
勿論、止め付け用開口部を複数にし、合わせて前記突起も複数とすれば、より一層堅固で、安定した取り付けを行い得る。
【００１３】
手段５：手段３又は手段４の遊技機において、
前記第１の衝撃吸収部材の取り付け部位に少なくとも一つの取り付け用孔が設けられ、前記ベース板に、前記取り付け用孔に嵌合される係合突起が設けられていることを特徴とする。
このように、前記取り付け部位に少なくとも一つの取り付け用孔が設けられ、前記ベース板に、それに嵌合する係合突起が設けられることで、第１の衝撃吸収部材を嵌合手段によって前記ベース板に止め付けることができるのであり、ネジ等を用いることなく簡単に取り付け、取り外しを行い得る。
勿論、前記取り付け用孔を複数にし、合わせて前記係合突起も複数とすれば、より一層堅固で、安定した取り付けを行い得る。
更に、前記ベース板少なくとも一つの止め付け用開口部とこの止め付け用開口部に嵌入される突起による嵌合手段を併用した場合には、より一層堅固な取り付けが行い得る。
【００１４】
手段６：手段１乃至手段５の遊技機において、
前記発射レールの下端部の下方は、遊技球の落下を許容するように開放されており、その下端部の上方には球待ち部材が所定の高さＨを隔てて設けられ、前記遊技球発射装置の打球部の先端の初期位置Ｐ０と前記発射レールの下端部との水平距離Ｌと前記高さＨが同じ長さになるか又は前記水平距離Ｌの方が長くなるように設定されていることを特徴とする。
このように構成したことで、この遊技機に、入賞率を高める目的で、所定の大きさの遊技球よりも小径の遊技球が不正使用されたときに、その遊技球が発射レール上に供給されると、球待ち部材で受け止められず、ここを通過し、発射レールの下端部を超えることになる。その際、前記遊技球発射装置の打球部の先端の初期位置Ｐ０と前記発射レールの下端部との水平距離Ｌと前記高さＨが同じ長さになるか又は前記水平距離Ｌの方が長くなるように設定されているため、遊技球は遊技球発射装置の打球部と発射レールの下端部との間に挟まるか、発射レールの下端部から下方に落下することになる。これによって、不正の小径の遊技球は、正規に発射されることがないのであり、かかる小径の遊技球を用いた不正遊技を未然に回避できるのである。
【００１５】
手段７：手段１乃至手段６の遊技機において、
遊技球を前記発射レール供給する球送り機構が前記発射レールの側部上方に設けられ、該球送り機構の前記第１の衝撃吸収部材に対向する位置に、第２の衝撃吸収部材が設けられていることを特徴とする。
このように、該球送り機構の前記第１の衝撃吸収部材に対向する位置に、第２の衝撃吸収部材が設けられることで、発射レール上に供給されて前記第１の衝撃吸収部材に衝突した遊技球が、その衝撃力を十分に吸収出来なかったときに、その反対側に弾かれることになるが、その反対側の球送り機構に第２の衝撃吸収部材が設けられていることで、その衝突エネルギーを再度吸収できて、遊技球を安定よく発射待機位置に落ち着かせることができる。これにより、遊技球の球座りをより一層改善できる。
【００１６】
手段８：手段１乃至手段７の遊技機において、
前記主開口部は、その前記発射レールの上端側が上下の方向に大きな幅を持ち、その下端側がそれよりも小さな幅に形成され、そこに嵌め込まれる前記第１の衝撃吸収部材の衝撃吸収部位が前記主開口部の形状と同じ形状に構成されていることを特徴とする。
このように、第１の衝撃吸収部材の衝撃吸収部位の形状を、発射レールの上端側が上下の方向に大きな幅を持ち、その下端側がそれよりも小さな幅となるようにしたことで、遊技球が斜め上方から落下供給される位置では、その落下エネルギーが大きく、飛び跳ねによる踊りが大きなものとなるので、これを十分にカバーしてやる必要があり、単純な矩形乃至円形ではなく、上述した十分な大きさの異形とすることでより一層遊技球の踊りを抑制することができる。
【００１７】
手段９：手段３乃至手段８の遊技機において、
前記発射レールが、遊技球の発射方向に直交する方向の断面がＭ形を呈するように形成され、前記第１の衝撃吸収部材の衝撃吸収部位が、前記Ｍ形の頂部に対応するベース板の部分に位置されていることを特徴とする。
このように、発射レールが、遊技球の発射方向に直交する方向の断面がＭ形を呈するように形成されている場合、上方から発射レール上に供給される遊技球は、そのＭ形の内側斜面に衝突することになるため、この斜面を登ってＭ形の頂部を超えてベース板の側壁に衝突することになるものであり、このＭ形の頂部を超えたベース板の側壁部分に前記第１の衝撃吸収部材の衝撃吸収部位が設けられていることで、このような形状の発射レールに対して球座り作用がより一層有効となる。
【００１８】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００１９】
（パチンコ機の正面構成）
図１は本実施形態のパチンコ機１０の正面図であり、図２は、パチンコ機１０の前面からの斜視図であり、図３は、前面枠１４の斜視図である。図４は、前面枠１４を開いた状態の斜視図であり、図５は、前面枠１４を開いた状態の正面図であり、図６は、遊技盤３０の正面図である。
【００２０】
図１ないし図６に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００２１】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００２２】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００２３】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００２４】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２ｂ内に嵌まり込むようにして取り付けられている。
つまり、この前面枠１４の側面の少なくとも一部が内枠１２の外側壁（リブ）１２ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００２５】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００２６】
図４に示すように、内枠１２は、外形が矩形状の樹脂ベース２０を主体に構成されており、樹脂ベース２０の中央部には略円形状の窓部孔２１が形成されている。
そして、樹脂ベース２０の後側には、図４乃至図６に示す遊技盤３０が着脱可能に装着されている。図６に示すように、遊技盤３０は四角形状の合板よりなり、上部一方のコーナーが角落されており(後に述べる)、その周縁部が樹脂ベース２０（内枠１２）の裏側に当接した状態で取着されている。
【００２７】
従って、遊技盤３０の前面部の略中央部分が樹脂ベース２０の窓部孔２１を通じて内枠１２の前面側に露出した状態となっている（図４では遊技盤３０のアウト口３６が示されている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図６に示すように、略三角形状に角落ち（切り欠き）７２０されている（切り欠きは円弧線であるが実質三角形の切り欠きとなる）。
【００２８】
次に、図６用いて遊技盤３０の構成を説明する。図６は遊技盤３０の構成を示す正面図である。遊技盤３０の左右やや下方位置には、２組一対の一般入賞口３１、３１が階段状に配置され、中央下方には、始動口３３が配置されている。これら一般入賞口３１、３１および始動口３３は、遊技領域から裏面へ向けて貫通する開口となっており、これらの開口に対応して入賞装置が取り付けられている。即ち、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００２９】
尚、上記入賞検出センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００３０】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。
その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００３１】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００３２】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３３】
内レール５１の先端部分（図６の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図６の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００３４】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００３５】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図６のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図８のＳ１，Ｓ２）を貼着することで、遊技盤３０と証紙との一義性を持たせることができる。
【００３６】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領域の下側限界位置は遊技盤３０の下端位置によって特定される。また、遊技領域の上側限界位置は外レール５２によって特定される。
【００３７】
前記樹脂ベースにおいて、窓部孔２１（遊技盤３０）の下方には、遊技球発射装置３８より発射された直後に遊技球を案内するための発射レール１７０が取り付けられている。発射レール１７０は、その後方の金属板（ここではアルミ合金）であるベース板１７１（遊技球発射装置３８を取り付けるための部材）を介して樹脂ベース１７２に取付、固定されており、所定の発射角度（打ち出し角度）にて直線的に延びるよう構成されている。かかる構成については、後に図１３他に基づいて詳述する。従って、遊技球発射ハンドル１８の回動操作に伴い発射された遊技球は、まずは発射レール１７０に沿って斜め上方に打ち出され、その後前述した通りレールユニット５０の球案内通路を通じて所定の遊技領域に案内されるようになっている。
【００３８】
また、発射レール１７０とレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００３９】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００４０】
なお、後で詳しく図１３等に基づいて詳述するが、遊技球発射装置３８には、前面枠１４側の球出口（上皿１９の最下流部より通じる球出口）から遊技球が１つずつ球送り機構１７３に供給され、この球送り機構１７３に設けられたゲートレバー１７３Ａが、ソレノイド１７３Ｃにより作動され、遊技球を１球づつ発射レール上に供給する。また、遊技球発射装置３８には、合成樹脂製のサイ頭円錐形の打球部３８Ａが設けられ、軸部３８Ｂの先端に固定されており、ソレノイドの励磁によって打球部３８Ａのピストン運動に伴い遊技球が発射される。
【００４１】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００４２】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００４３】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パチンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００４４】
ここで、前述した前面枠１４について、図１乃至図６を参照しつつより詳細に説明する。
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００４５】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００４６】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００４７】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００４８】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００４９】
（パチンコ機の背面構成）
図７及び図８は、パチンコ機１０の背面図と、セット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）等が取り付けられている。
【００５０】
本実施形態では、各種制御基板を３つの制御基板にユニット化し、これら制御基板ユニットを個別に内枠１２または遊技盤３０の裏面に装着するようにしている。ここでは便宜上、これらのユニットを「第１制御基板ユニット２０１」、「第２制御基板ユニット２０２」および「第３制御基板ユニット２０３」と称することとする。この場合、第１制御基板ユニット２０１および第２制御基板ユニット２０２として、主制御基板と音声ランプ制御基板とがそれぞれ取付台に搭載してユニット化され、第３制御基板ユニット２０３として、払出制御基板、発射制御基板および電源基板が、セット板４００の第２パーツを構成する排出通路盤にユニット化されている。
【００５１】
第１制御基板ユニット２０１、第２制御基板ユニット２０２および第３制御基板ユニット２０３は、ユニット単位で何ら工具等を用いずに着脱できるよう構成されており、さらにこれに加え、一部に支軸部を設けて内枠１２または遊技盤３０の裏面に対して開閉できる構成となっている。かかる構成については後に詳述する。これは、各ユニット２０１、２０２、２０３やその他構成が前後に重ねて配置されても、隠れた構成等を容易に確認することを可能とするための工夫でもある。
【００５２】
図６に示す一般入賞口３１、始動口３３に入賞した遊技球は何れも前記裏枠セットの回収通路を介して集合し、さらに排出通路盤の排出通路２１８を介してパチンコ機１０外部に排出される。なお、アウト口３６（図６参照）も同様に排出通路に通じており、何れの入賞口にも入賞しなかった遊技球も排出通路２１８を介してパチンコ機１０外部に排出される。
【００５３】
その他、図７に示すように、内枠１２の背面構成において、遊技盤３０の右下部には、後述する払出機構部３５２より払い出される遊技球を上皿１９、下皿１５、または排出通路の何れかに振り分けるための遊技球分配部が設けられている。
【００５４】
第１制御基板ユニット２０１は、遊技盤３０の裏面側に配設され、制御基板を収容する第１基板ケース２０１Ａを有し、この第１基板ケース２０１Ａに主制御装置２６１が搭載されている。ここで、主制御装置２６１は、主たる遊技の制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる後述の第１基板ケースに収容された構成とされる。
【００５５】
第２制御基板ユニット２０２は、台座に音声ランプ制御装置が搭載された構成を有し、装飾図柄表示装置４２の裏面側を覆う位置に配置され、遊技盤３０に取り付けられている。音声ランプ制御装置は、音声ランプ基板を具備している。
【００５６】
第３制御基板ユニット２０３は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００５７】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００５８】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされ、セット板４００の上部から側部にかけて配置された概略逆Ｌ字状をなす払出ユニットならびに下部に配置された排出通路盤とともに、第３制御基板ユニット２０３を構成している。
【００５９】
ここで、上記発射制御装置３１２に関わる説明を詳しく行う。
上記発射制御装置３１２ついては、発射制御回路を備えている。発射制御回路は、遊技者による遊技球発射ハンドル１８の操作に従って発射用ソレノイドの発射制御を担うものであり、発射用ソレノイドは所定の発射条件が整っている場合に駆動される。具体的には、発射制御回路には遊技球発射ハンドル１８に設けられた発射スイッチ、タッチセンサ及び止め打ちスイッチが接続されており、発射スイッチ及びタッチセンサがオン、止め打ちスイッチがオフの状態となった場合に限って発射許可信号を主制御装置２６１の制御基板８０（電源監視基板を介して）に出力する。制御基板８０は、当該発射許可信号の入力に基づいて所定周期の発射制御信号（５ボルトのパルス信号）を発射制御回路に出力する。発射制御回路には、増幅器（ＦＥＴ）が設けられており、発射制御信号を入力する毎に、増幅器がコンデンサに蓄電された電源を瞬間的に供給する（例えば、３２ボルトの電源を供給する）ことで発射用ソレノイドを駆動する。この場合に、遊技球発射ハンドル１８にはハンドル操作量を判定するためのダイヤル可変抵抗器が設けられており、発射制御回路はダイヤル可変抵抗器における抵抗値の変化に基づいてコンデンサに蓄電された電源の供給量を調整することで発射用ソレノイドによる打ち出し速度を決定する。
また、制御装置８０において、通常処理として、各種コマンドを他の制御基板に出力する外部出力処理、各種カウンタの更新処理、コマンドの設定処理、大入賞口を当り状態に応じて開閉させる処理、遊技球発射制御処理などが順次実行される。このうち遊技球発射制御処理は４ｍｓｅｃ毎（通常処理毎）に実行されるものである。
【００６０】
遊技球発射制御処理では、先ず発射カウンタを１加算し、続いてその加算後の発射カウンタの値が１５０以上であるか否かを判別する。かかる場合に、発射カウンタが０から１５０に達する間には０．６ｓｅｃの時間が必要となる。このステップにて発射カウンタＨＣの値が１５０未満の場合には、そのまま本処理を終了する一方、発射カウンタＨＣの値が１５０以上の場合には発射カウンタを０クリアする。次に、ＲＡＭの発射許可フラグ格納エリアに発射許可フラグがセットされているか否かを判別する。発射許可フラグは、発射制御装置３１２から発射許可信号が出力されることによりセットされるフラグである。発射許可フラグがセットされていた場合には、発射制御装置３１２に発射制御信号を出力し、発射許可フラグがセットされていなかった場合には、発射制御信号を出力することなく処理を終了する。なお、かかる場合に、ＣＲユニットが不良なく接続されていることを条件として発射制御信号を出力する構成としてもよい。発射制御装置３１２は１の発射制御信号を入力することにより、発射用ソレノイドを１回励磁し、遊技球を１個発射させる。即ち、本パチンコ機１０では、遊技者が遊技球発射ハンドル１８を操作していることを条件として遊技球の発射が行われる。また、上述のとおり、発射カウンタが０から１５０に達する間には０．６ｓｅｃの時間が必要となるため、基本的に、発射制御信号は１分間に１００回出力され、１分間に１００個の遊技球が発射される。なお、以上のように、遊技球の発射許可を制御基板８０が制御する構成とするのは、遊技球の打ち出しという当該パチンコ機１０における遊技の主要な部分を制御基板８０の管理下に置くためである。
【００６１】
図７に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００６２】
そして、図４に示す通り、前記内枠１２の外枠１１に対する枢着部７２５に近い前記遊技盤３０のコーナーが、図６に示すように、略三角形状（遊技盤の中心側は円弧状）に角落ち７２０されている。前記枢着部７２５は、図４に示すように、外枠１1に固定のブラケット７２６（上端部）（下端部は図外）に、内枠１２に固定の取り付け金具を枢着することで構成されている。
【００６３】
ここで、上述したエラー状態などの状態報知について図１及び図７に基づいて述べる。
［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図７に示すモニターＬＥＤ８１１が消灯し、状態表示８１２が「１」を点滅表示する。
【００６４】
（下受け皿満タン）
下受け皿満タンの報知は、図１に示す右コーナーＬＥＤ８１３が点灯し、図７に示すモニターＬＥＤ８１１が消灯する。そして、状態表示８１２が「２」を点滅表示する。
【００６５】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００６６】
［電源に関するエラー報知］
（ヒューズ切れ１及びヒューズ切れ２）
ヒューズ切れ１は、図７に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００６７】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図６に示すモニターＬＥＤ８１６及びモニターＬＥＤ８１７が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
尚、図７において、８１９は、遊技機電源コードを示し、８２０は、電源スイッチを示し、８２１は、外部接続アース線を示す。
【００６８】
次に、第１制御基板ユニット２０１について説明する。第１制御基板ユニット２０１には、主制御装置２６１が搭載され、該主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなるものである。
【００６９】
前記第１制御基板ユニット２０１は、第１基板ケース２０１Ａ、後述の開閉機構４１０および連結台座部材４３０を含み、第１基板ケース２０１Ａは、第１制御基板ユニット２０１の主要部をなす部材であり、図９乃至図１７に示すように、外側ケース（第１ケースまたは第２ケース）７０および内側ケース（第２ケースまたは第１ケース）８５を含む。この実施例では、外側ケース７０が主制御装置２６１の制御基板８０を収容する容積のある方であり、内側ケース８５がその蓋体に相当する方である。なお、外側ケース７０および内側ケース８５は、いずれを第１ケースとしてもよい。
この第１基板ケース２０１Ａは、前記外側ケース７０側に設けられる外側封印部７１と、前記内側ケース８５側に設けられる内側封印部８６と、その外側封印部７１と内側封印部８６とを連結する封印部材８７とを有し、その封印部材８７によって前記外側封印部７１と内側封印部８６とが連結されている場合に前記制御基板８０を取り出すときには第１基板ケース２０１Ａを破壊するか或いは所定の部位を切断することを必要とするものである。
【００７０】
前記外側ケース７０の外側封印部７１と内側ケース８５の内側封印部８６とは対を成すもので、この実施例では、個別に使用することのできる４個の封印部（封印、開封の再使用不可）から構成されており、それぞれを、封印部材８７を用いて封印するよう構成されたものであり、こうした封印構造は、公知に属するものと変わらないものであるから、ここでの詳細説明は省略する。
【００７１】
図９は、遊技球が流下する遊技領域を前面側に形成してある遊技盤３０の裏面の斜視図である。図１０は、第１基板ケース２０１Ａを開閉機構４１０により回動させて、スペーサー（中間部材）５０１から離した状態を示し、図１１は、遊技盤３０、球集合板４６０、スペーサー５０１、連結台座部材４３０、第１基板ケース２０１Ａを夫々分解した状態の斜視図であり、図１２は、スペーサー５０１を回動させて球集合板４６０から離し、連結台座部材４３０及び第１基板ケース２０１Ａを分離した状態の斜視図である。
【００７２】
上記開閉機構４１０は、第３部材としての回動連結のための軸４１１を備え、一端側、即ち、コの字形に折り曲げられた一枚の支持板（約２ｍｍ厚の鋼板）からなる第１部材としての支持体４１２が、図９乃至図１２に示すようにそのコの字の底部部分で遊技盤３０の裏面側にネジで固定され、他端側は、その軸４１１を基点にして回動するように枢着された第２部材としてのブラケット４１３で構成されている。前記軸４１１は、リベット構造であり、その両端部を変形させることよって容易に抜き取り出来ないようにされている。
【００７３】
前記第１部材としての支持体４１２のコの字の底部部分にはネジ孔が設けられ、図１１に示すように、遊技盤３０の裏面と球集合板４６０（入賞装置に入球した遊技球を受けて下方へ誘導する排出通路が形成されているもの）との間でネジ固定され、球集合板４６０の開口部４６１（又は切り欠き部）を介して遊技機の裏面側に向かう方向に突出する。そして、上記ブラケット４１３は、板状体で構成されて第１係合部（後述の連結台座部材４３０に対する）に構成され、その第１係合部には、切り欠き係合部が形成されている。この切り欠き係合部は、切り欠き部分の両側の先端部が互いに対向する方向に鉤状に突出し、全体として概略Ｃ字形状となるように形成されている。
【００７４】
上記構造とすることにより、球集合板４６０を遊技盤３０に取り付けた後は支持体４１２が外側から取り外せない状態となるので、例えば後述する第１基板ケース２０１Ａを不正に取り外したりすることがより困難となる。
【００７５】
上記球集合板４６０については、その外周部の複数個所を遊技盤３０の裏面に対して固定するが、そのうちの少なくとも一つが固定解除できないように、破断ネジ等でするか、ビス留めしたあと、ビス頭部を覆うキャップを取り付けるようにする等して、球集合板４６０が遊技盤３０から容易に外されるのを防止する構造としてもよい。
【００７６】
上記破断ネジとは、螺合させて締結（本締め）するのに必要な程度のトルクで回転させて締結した後、さらに大きい所定の高トルクで回転させると破断する破断部を備えるネジであり、破断後は、ドライバにより破断ネジを回転させることができずその取り外しが不可能となる。
【００７７】
次に、図１０乃至図１２に基づいて、連結台座部材４３０について述べる。
この連結台座部材４３０は、前記開閉機構４１０と前記第１基板ケース２０１Ａとにそれぞれ連結されるものであり、言わば従来から用いられていた基板ケースを取り付けるための台座に相当するものであって、合成樹脂で成型されており、第１基板ケース２０１Ａの内側ケース８５の側面に接当する側が開放され、リブが多数設けられ、リブの端面は同じレベルに形成され、内側ケース８５の側面に密着接当可能にされており、反対側の側面（遊技盤３０側）は、平坦に形成されている。
【００７８】
前記第１基板ケース２０１Ａのうち、前記連結台座部材４３０と連結封止される部位である第１台座封止部４５０が、その内側ケース８５の端部に設けられており、ここでは該第１基板ケース２０１Ａの幅方向に、所定の間隔を隔てて４個突設されている。この第１台座封止部４５０は、外側ケース７０の外側封印部７１と内側ケース８５の内側封印部８６との位置と平面視で位相がずれるように変位して配置されており、従って、第１基板ケース２０１Ａを背面から（遊技機の背面から）見たときに、前記外側封印部７１と内側封印部８６に重なることなく、視認できる状態にある。
即ち、前記外側封印部７１と内側封印部８６の位置する側に前記第１台座封止部４５０が配置され、且つ、前記第１基板ケース２０１Ａの背面視（正面）において、前記第１台座封止部４５０が見えるように前記外側および内側封印部７１、８６と平面位相をずらせて配置されているのである。
【００７９】
そして、前記連結台座部材４３０には、前記第１基板ケース２０１Ａの前記第１台座封止部４５０と連結封止される部位である第２台座封止部４３２が、ここでは、４個が、前記４個の第１台座封止部４５０と対応する位置に突設されている。この１個の第２台座封止部４３２の構造は、この連結台座部材４３０の本体に繋がるリブに、有底のネジ止め凹部を有する突起体が一体成型されており、そのリブの底面と有底部分の底面は面一と面一とされている。
そして、前記第１、及び第２台座封止部４５０、４３２は、破断ネジを用いて連結封止される。
【００８０】
前記連結台座部材４３０の内部に、前記開閉機構４１０の前記第１係合部と係合する部位である第２係合部が設けられ、前記第１係合部と前記第２係合部との係合において、前記開閉機構４１０の第１係合部が前記挿入部に挿入されて前記第２係合部と係合されたあとにその挿入方向とは逆の抜き出す方向への移動を規制（規制機構）するように構成されている。
【００８１】
また、前記連結台座部材４３０は、前記第１基板ケース２０１Ａよりも小さく構成され、前記第１基板ケース２０１Ａのうち、基板裏面側で一端側に寄せて連結されるように構成されているものである。
【００８２】
本実施形態のパチンコ機１０においては、遊技機に取り付けられた第１制御基板ユニット２０１が遊技盤３０の裏面に対して開閉することにより、遊技盤裏面の設置物に対しての検査、メンテナンスが容易に行い得るのである。
そして、封印部により封印されることにより、制御基板に対して不正な改変を行ったり、不正品に交換されることを防止でき、また、第１、第２台座封止部４５０、４３２により連結封止することによって、第１制御基板ユニット２０１を不正品に交換されることを防止できる。
【００８３】
更に、連結台座部材４３０に対して開閉機構４１０を簡単な操作により装着できるので、作業性が向上するのであり、そして、前記第１係合部と第２係合部とを一度係合させるとその解除が規制機構によって規制され、係合部分は被覆されているので、連結状態の第１基板ケース２０１Ａおよび開閉機構４１０、即ち第１制御基板ユニット２０１ごと不正に持ち去ることを防止できるのである。
【００８４】
また、外側ケース７０の前記外側封印部７１と内側ケース８５の内側封印部８６の位置する側に前記第１台座封止部４５０及び第２台座封止部４３２が配置されるものの、前記第１、及び第２台座封止部４５０、４３２が見えるように前記外側および内側封印部と平面位相をずらせて配置されていることで、前記第１、及び第２台座封止部４５０、４３２が前記第１基板ケース２０１Ａの背面視（正面）において、視認可能となり、前記第１、及び第２台座封止部４５０、４３２が不正に解除されているかどうか容易に分かるのである。
【００８５】
次に、スペーサー（中間部材）５０１について述べる。
遊技盤３０の裏面と第１制御基板ユニット２０１との間には、スペーサー（中間部材）５０１が介装されている。図１０乃至図１２に示すように、遊技盤３０の裏面には球集合板４６０が設けられ、第１制御基板ユニット２０１はこの球集合板４６０に外側から取り付けられる構成となっているが、該球集合板４６０と第１制御基板ユニット２０１との間には、若干の間隙が形成されている。パチンコ機１０の機種によっては、遊技盤３０の裏面の設計に応じて、当該部位の寸法（奥行）が異なる。このため、この寸法の変動に対応できるように、球集合板４６０と第１制御基板ユニット２０１との間には、若干の余裕、すなわち間隙が形成されているのである。前記スペーサー（中間部材）５０１は、この球集合板４６０と第１制御基板ユニット２０１との間の間隙を補填するためのものであり、当該間隙にほぼ対応した寸法を有するものとなっている。
【００８６】
上記スペーサー（中間部材）５０１は、球集合板４６０に対向する面が開放された概略横長で中空の箱形の形状を有し、その上端部にはほぼ矩形状の切欠部５１１が形成されている。この切欠部５１１は、球集合板４６０と第１制御基板ユニット２０１とを電気的に接続するスペースを確保するためのものである。
【００８７】
上記スペーサー（中間部材）５０１の内部には、図１２に示すように、複数のリブ５１２が形成されている。このリブ５１２は、スペーサー（中間部材）５０１の補強の機能だけでなく、該スペーサー（中間部材）５０１の内部に不正基板を設置し得るスペースが形成されないようにするという機能も奏するものである。また、このリブ５１２は、球集合板４６０側に設けた電気部品等に接当しないように区画配置されると共にその高さが部分的に変えられている（リブの外縁面が同じレベルではない）。
【００８８】
上記スペーサー（中間部材）５０１は透明樹脂よりなるものであり、これにより、内部での不正行為の有無等が外側から容易に視認することができ、したがって不正をより効果的に防止し得るようになっている。勿論、その素材は、透明樹脂でなく、半透明或いは不透明な素材で成形されてもよい。
【００８９】
前記球集合板４６０における前記開閉機構４１０形成側端部とは反対側の端部（図１２では右側端部）には、上下１対の軸４６２がそれぞれ上方に突出するように設けられており、この軸４６２に前記スペーサー（中間部材）５０１のブラケット５１３が挿通され、これにより、スペーサー開閉手段４６６が構成され、以って、上記スペーサー（中間部材）５０１は一方端部で軸４６２を中心として水平面上で回動可能に軸支され開閉可能となっている。即ち、該スペーサー（中間部材）５０１の開閉軸線はパチンコ機１０の背面からみて前記開閉機構４１０形成側端部の反対側（図１２の右側）で上下に延びるように設定されており、この開閉軸線を軸心にしてスペーサー（中間部材）５０１が後方側に十分に開放できるようになっている。
【００９０】
前記第１基板ケース２０１Ａは、図１０に示すように開閉機構４１０により該開閉機構４１０形成側端部（図１０では左側端部）で回動させて一方側へ（図１０では左方に）開放し得るようになっているが、上記のようなスペーサー（中間部材）５０１の支持構造とすることにより、該スペーサー（中間部材）５０１は図１２に示すように第１基板ケース２０１Ａとは逆方向に開放し得るようになっている。すなわち、該スペーサー（中間部材）５０１と第１基板ケース２０１Ａとが、左右逆方向に開閉し得る構造、さらに具体的にいえば、左右から折り重ねるようにして閉じ得るとともに、その閉じた状態からそれぞれ左右に開放し得る構造となっている。
【００９１】
上記スペーサー（中間部材）５０１の自由端部側（図１０及び図１２）では左端部側）およびこれに対応する球集合板４６０上の位置には、スペーサー（中間部材）５０１と球集合板４６０とを封止するための封止手段が設けられている。この封止手段は、第１封止部５２０ａと第２封止部５２０ｂとを有している。
【００９２】
上記スペーサー（中間部材）５０１の陥入部分の底部に設けられた上下の破断ネジ挿通部５１５は、図１０および図１２に示すように、前記開閉機構４１０におけるブラケット４１３の上下の支持部の間に挟持されるような位置に形成され、これら支持部の間のスペースをほぼ閉塞し、第１基板ケース２０１Ａを枢着する軸４１１であるリベットの頭部に近接している。
【００９３】
図１０乃至図１２に示すように、上記スペーサー（中間部材）５０１の外側面（第１基板ケース２０１Ａ側面）における固定端部（図１０、図１２では右側端部）には、先端に係止爪が形成された矩形状の係止片５１７が後方に（第１基板ケース２０１Ａ側に）突出するように配設され、一方、第１基板ケース２０１Ａの自由端部には、矩形状の突起部８５１が側方に（図１０では左方に）突出するように配設されており、該係止片５１７が突起部８５１に弾性的に係止し得るようになっている。この係止片５１７は、スペーサー（中間部材）５０１に一体成型されている。この係止片５１７は、上記スペーサー（中間部材）５０１の開閉に際しての閉じられた状態が保持されるようにするために用いられるものである。
【００９４】
上記のように、遊技盤３０の裏面と第１制御基板ユニット２０１との間にスペーサー（中間部材）５０１が介装されていることにより、遊技盤３０の裏面と第１制御基板ユニット２０１との間の間隙が補填され、これによって、不正行為を行い得るようなスペースが形成されないようになっている。さらに、このスペーサー（中間部材）５０１が封止手段５２０により封止した状態で固定されていることにより、不正に取り外すことが困難となっており、もしこの封止が不正に破られたとしても、痕跡が残るため、封止が破られたことが一目瞭然であり、これにより不正行為が容易に発覚する。
【００９５】
また、パチンコ機１０の組み立てにおいては、例えば、球集合板４６０に中継基板、ＬＥＤ基板、スイッチ、配線等の電気部品を取り付け、この球集合板４６０にスペーサー（中間部材）５０１を取り付けてこれらをユニットとして構成し、このユニットを遊技盤３０に取り付け、この後第１制御基板ユニット２０１を取り付けるという工程にすると作業性が良好となるが、このような場合に、電気部品の少なくとも一部がスペーサー（中間部材）５０１で覆われるようにすることで、電気部品がスペーサー（中間部材）５０１によって保護され、取り付け作業時に電気部品が破損されることが防止される。
【００９６】
（特徴構成）
この遊技機の特徴部分について、図４、図５、図１３乃至図２２に基づいて詳しく説明する。この遊技機の特徴とする基本的な構成は、上記発射レール１７０が遊技球発射装置３８のベース板１７１の表面に近接して設けられ、該ベース板１７１と反対側の上方位置から前記発射レール１７０上に遊技球が供給され、該遊技球を前記遊技球発射装置３８により遊技領域に向けて打ち出すように構成されているものである。
【００９７】
前記発射レール１７０は、図１４に示すように、断面Ｍ字形（遊技球の発射方向に直交する方向の断面）を成すように形成されたもので、そのＭ字の内部に前記樹脂ベース１７２が介在され、その状態で、その後方の前記ベース板１７１に、２本のネジ１７４を用いて固定されている。そして、前記発射レール１７０は、所定の発射角度（打ち出し角度で、ここでは、２０度）にて直線的に延びるよう取り付けられている。従って、遊技球発射ハンドル１８の回動操作（発射用ソレノイドの磁力制御）に伴い発射された遊技球は、まずは発射レール１７０に沿って斜め上方に打ち出され、その後前述した通りレールユニット５０の球案内通路を通じて、遊技者の所望する所定の遊技領域に案内されるようになっている。
【００９８】
この発射レール１７０は、遊技球（ＳＢ）が前記遊技球発射装置３８による打球動作を受けるべく待機する発射待機位置Ｐ２から前記遊技球発射装置３８より遊技球が発射される方向へ上り傾斜する傾斜面を有し前記傾斜面のうち前記発射待機位置Ｐ２よりも上流側で前記球送り機構１７３により供給された遊技球（ＳＢ）を受けるよう構成され、且つ、前記球送り機構１７３により供給された遊技球（ＳＢ）が前記傾斜面に沿って前記発射待機位置Ｐ２に移動するとともに、前記発射待機位置Ｐ２において前記遊技球発射装置３８により打ち出された遊技球（ＳＢ）が前記傾斜面に沿って移動して前記遊技領域に向かうように構成され、そして、前記傾斜面が、遊技球の下半部を両側からそれぞれ支える２つの面を有し上方に向けて開放された溝状に形成されているのである。
【００９９】
前記前面枠１４側の球出口（上皿１９の最下流部より通じる球出口）から遊技球が１つずつ球送り機構１７３に供給され、図１４（分解斜視図）、図１５（縦断側面図）、図１６（一部切り欠き分解斜視図）、図１７（一部切り欠き斜視図）に示すように、この球送り機構１７３に設けられたゲートレバー１７３Ａが、ソレノイド１７３Ｃ（本体部１７３Ｄに内蔵）により作動され、遊技球を１球づつ遊技球発射装置３８の発射レール上に供給される（図中矢印で示す）。また、遊技球発射装置３８には、合成樹脂製のサイ頭円錐形の打球部３８Ａが設けられ、軸部３８Ｂの先端に固定されており、ソレノイドの励磁によって打球部３８Ａのピストン運動に伴い遊技球が発射される。
【０１００】
前記球送り機構１７３は、図１４乃至図１７に示すように、遊技球の通路を備えた本体部１７３Ｄと、ソレノイド１７３Ｃと、前記球送り機構１７３に横軸心で枢支されたゲートレバー１７３Ａとを備えており、そのソレノイド１７３Ｃの励磁によって、前記ゲートレバー１７３Ａを上下の方向に回動させ、以って、内部の通路を開放し、遊技球を前記発射レール１７０上に、落下放出するように構成されている。
そして、前記本体部１７３Ｄは、合成樹脂製であり、２本の縦軸心の回動軸を備え、後方のベース板１７１の軸受け１７１Ａ，１７１Ａに嵌合されて回動自在に枢支されており、且つ、一つの係止フック１７３Ｅを備え、後方のベース板１７１の係合孔１７１Ｂに、その合成樹脂の弾性変形を用いて嵌合されように構成されている。
また、前記球送り機構１７３は、前記発射レール１７０の妨げとならないように、発射レール１７０よりも遊技機の前面側に変位して配置されており、従って、ここから供給される遊技球は、発射レール１７０に対して、斜め上方から落下、供給されることになる。
【０１０１】
そして、前記発射レール１７０のうち、図２２に示すように、供給された遊技球を受ける位置Ｐ１から後方の発射待機位置Ｐ２までの間に亘り、前記ベース板１７１に、図１４乃至図２２に示す第１の衝撃吸収部材１７５を配置している。ここにいう供給された遊技球を受ける位置Ｐ１とは、前記球送り機構１７３から供給されて最初に発射レール１７０上に落下、供給された位置をいうものであり、発射待機位置Ｐ２とは、発射の打ち出しが行われる位置をいう。
前記第１の衝撃吸収部材１７５は、衝撃を緩和させる緩衝材で、衝撃力を吸収する低反発弾性を備えた素材からなるもので、ここでは制振ゴムが用いられている。この素材の物性としては、反弾発性が１０％未満のものである。しかし、この素材以外でも、十分な緩衝性を有するゴム、合成樹脂等を適宜選択して使用できる。
【０１０２】
そして、図１４に示すように、前記ベース板１７１に主開口部１７６が設けられ、前記第１の衝撃吸収部材１７５が前記主開口部１７６に嵌入される衝撃吸収部位１７５Ａと、前記ベース板１７１に取り付けるための取り付け部位１７５Ｂとから構成され、該取り付け部位１７５Ｂにより前記ベース板１７１の裏面に取り付けられる。前記第１の衝撃吸収部材１７５の衝撃吸収部位１７５Ａが、前記発射レール１７０のＭ形の頂部に対応するベース板１７１の部分に位置されている。
上記の第１の衝撃吸収部材１７５の取り付け手段は、次の二つの手段で行われる。
【０１０３】
一つは、前記ベース板１７１に、前記主開口部１７６から離れて二つの止め付け用開口部１７７，１７７が設けられ、前記第１の衝撃吸収部材１７５の取り付け部位１７５Ｂに、前記止め付け用開口部１７７，１７７に嵌入される突起１７８，１７８が設けられている。これにより、前記第１の衝撃吸収部材１７５を、ベース板１７１の裏面から当てつけて、その突起１７８，１７８を止め付け用開口部１７７，１７７に、その素材の弾性変形を利用して押し込み状態で嵌め込むことで、位置固定できるのである。
【０１０４】
もう一つの嵌合手段は、図１４、図１８乃至図２１に示すように、前記第１の衝撃吸収部材１７５の取り付け部位１７５Ｂに二つの取り付け用孔１７９，１７９が設けられ、前記ベース板１７１に、前記取り付け用孔１７９，１７９に嵌合される係合突起１８０，１８０が設けられ、その係合突起１８０，１８０に対して、取り付け用孔１７９，１７９を、その素材の弾性変形を利用して押し込んで位置固定できるのである。
【０１０５】
また、上記主開口部１７６は、その前記発射レール１７０の上端側１７６Ａが上下の方向に大きな幅を持ち、その下端側１７６Ｂがそれよりも小さな幅に形成され、そこに嵌め込まれる前記第１の衝撃吸収部材１７５の衝撃吸収部位１７５Ａが前記主開口部１７６の形状と同じ形状に構成されている。
【０１０６】
また、前記発射レール１７０の下端部１７０Ｂの下方は、遊技球の落下を許容するように開放されており、その下端部１７０Ｂの上方には球待ち部材１８１が所定の高さＨ（ここでは、Ｍ形の発射レール１７０の頂部から７ｍｍ）を隔てて設けられ、前記遊技球発射装置３８の打球部３８Ａの先端の初期位置Ｐ０と前記発射レールの下端部１７０Ｂとの水平距離Ｌ（ここでは、９ｍｍ）とでは、前記水平距離Ｌの方が長くなるように設定されている。しかし、前記高さＨと水平距離Ｌが同じ長さであっても不正球に対する防御目的は達成できる。
更に、前記球待ち部材１８１は、合成樹脂製で、正面視で略台形を成すもので、ネジにより後方のベース板１７１に止め付けられている。その遊技球の受け止め面側は、上方が前方に、下方が後方に位置するように斜めの傾斜面に形成されている。
【０１０７】
（作用）
上記のように構成したことで、発射レール１７０に遊技球が供給されるときに、遊技球発射装置３８のベース板１７１と反対側の上方位置から遊技球が斜めに落下、供給されると、遊技球は発射レール１７０に衝突すると共に勢い余って反対側のベース板１７１に衝突することになるが、この位置に第１の衝撃吸収部材１７５を配置したことで、その衝突エネルギーを吸収し、遊技球が発射レール１７０上で踊ってしまうことを回避させ、直ちに安定した状態で発射待機位置Ｐ２に落ち着かせることができる。これにより、遊技球の球座りを改善できて、常に安定した姿勢で遊技球発射装置３８による打ち出しが行い得て、遊技球の軌道が安定し、遊技者の意図した位置に遊技球を打ち出すことができて、ファール球が低減されるのである。同時に、遊技球（通常鋼球）がベース板１７１（通常アルミニウム合金）に衝突することで、ベース板１７１が削られ、塵埃が発生して発射レール１７０上に溜まり、発射状態が悪化することがあったが、こうした問題も解消されることになる。
勿論、ベース板が削られることにより、遊技球の踊りが一層助長されるといった事態も未然に回避できることになる。
【０１０８】
また、第１の衝撃吸収部材１７５を衝撃吸収部位１７５Ａと取り付け部位１７５Ｂから構成し、全体が、前記衝撃吸収部位１７５Ｂよりも大きくなったことと、ベース板１７１の裏面から取り付け部位１７５Ｂにより取り付けられることで、その取り付け部位１７５Ｂが鍔のように機能することとなって、剥がれ難くなる。
【０１０９】
更に、前記ベース板１７１に、少なくとも一つの止め付け用開口部１７７を設け、前記取り付け部位１７５Ｂに、前記止め付け用開口部１７７に嵌入される突起１７８を設けることで、この第１の衝撃吸収部材１７５を嵌合手段によって前記ベース板１７１に止め付けることができるのであり、ネジ等を用いることなく簡単に取り付け、取り外しを行い得るものである。
勿論、止め付け用開口部１７７を、実施例のように二つ或いはそれ以上の複数個にし、合わせて前記突起１７８も複数とすれば、より一層堅固で、安定した取り付けを行い得る。
【０１１０】
また、前記取り付け部位１７５Ｂに、少なくとも一つの取り付け用孔１７９が設けられ、図１８に示すように、前記ベース板１７１に、それに嵌合する係合突起１８０が設けられることで、第１の衝撃吸収部材１７５を嵌合手段によって前記ベース板１７１に止め付けることができるのであり、ネジ等を用いることなく簡単に取り付け、取り外しを行い得るのである。
勿論、前記取り付け用孔１７９を、この実施例のように二とし、或いはそれ以上の複数にし、合わせて前記係合突起１８０も複数とすれば、より一層堅固で、安定した取り付けを行い得る。
更に、前記ベース板１７１少なくとも一つの止め付け用開口部１７７とこの止め付け用開口部１７７に嵌入される突起１７８による嵌合手段を併用した場合には、より一層堅固な取り付けが行い得るものである。
【０１１１】
また、図２２に示すように、前記遊技球発射装置３８の打球部３８Ａの先端の初期位置Ｐ０と前記発射レール１７０の下端部１７０Ｂとの水平距離Ｌと前記高さＨが同じ長さになるか又は前記水平距離Ｌの方が長くなるように設定されているため、入賞率を高める目的で、所定の大きさの遊技球よりも小径の遊技球ＳＢが不正使用されたときには、その遊技球が発射レール１７０上に供給されると、球待ち部材１８１で受け止められず、ここを通過し、発射レール１７０の下端部１７０Ｂを超えることになり、その結果、遊技球は遊技球発射装置３８の打球部３８Ａと発射レール１７０の下端部１７０Ａとの間に挟まるか、発射レール１７０の下端部１７０Ｂから下方に落下することになる。これによって、不正の小径の遊技球は、正規に発射されることがないのであり、かかる小径の遊技球を用いた不正遊技を未然に回避できるのである。
【０１１２】
更に、第１の衝撃吸収部材１７５の衝撃吸収部位１７５Ａの形状を、その発射レール１７０の上端側が上下の方向に大きな幅を持ち、その下端側がそれよりも小さな幅となるようにしたことで、遊技球が斜め上方から落下供給される位置では、その落下エネルギーが大きく、飛び跳ねによる踊りが大きなものとなるので、これを十分にカバーしてやる必要があり、単純な矩形乃至円形ではなく、上述した十分な大きさの異形とすることでより一層遊技球の踊りを抑制することができるのである。
【０１１３】
また、発射レール１７０が、この実施例のように、遊技球の発射方向に直交する方向の断面がＭ形を呈するように形成されている場合、上方から発射レール１７０上に供給される遊技球は、そのＭ形の内側斜面に衝突することになるため、この斜面を登ってＭ形の頂部１７０Ｃを超えてベース板１７１の側壁に衝突することになるものであり、このＭ形の頂部１７０Ｃを超えたベース板１７１の側壁部分に前記第１の衝撃吸収部材１７５の衝撃吸収部位１７５Ａが設けられていることで、このような形状の発射レール１７０に対して球座り作用がより一層有効となる。
【０１１４】
（変形例）
上記衝撃吸収部材について、更に、第２の衝撃吸収部材を設けるようにしてもよいものである。
即ち、遊技球を前記発射レール１７０に供給する球送り機構１７３が前記発射レールの側部上方に設けられているが、該球送り機構１７３の前記第１の衝撃吸収部材１７５に対向する位置に、第２の衝撃吸収部材が設けることができる。
具体的には、前記第１の衝撃吸収部材１７５に対向する位置には、ゲートレバー１７３Ａが位置されているが、その下端部自体を緩衝材で構成するか、そこに緩衝材を備えるようにする。
このように、該球送り機構１７３の前記第１の衝撃吸収部材１７５に対向する位置に、第２の衝撃吸収部材が設けられることで、発射レール１７０上に供給されて前記第１の衝撃吸収部材１７５に衝突した遊技球が、その衝撃力を十分に吸収出来なかったときに、その反対側に弾かれることになるが、その反対側の球送り機構１７３のゲートレバー１７３Ａ（それ以外の部分でもよい）に第２の衝撃吸収部材が設けられていることで、その衝突エネルギーを再度吸収できて、遊技球を早期に、安定よく発射待機位置に落ち着かせることができる。これにより、遊技球の球座りをより一層改善できるものである。
【産業上の利用可能性】
【０１１５】
本発明は、遊技球発射装置と、発射レールとを備えた遊技機であれば、種々の形態の遊技機に適宜実施可能であり、その適用範囲は広いものである。
【符号の説明】
【０１１６】
３８：遊技球発射装置
１７０：発射レール
１７１：ベース板
Ｐ１：遊技球を受ける位置
Ｐ２：発射待機位置
１７５：衝撃吸収部材
【図１】
2015221279.tif 000003
【図２】
2015221279.tif 000004
【図３】
2015221279.tif 000005
【図４】
2015221279.tif 000006
【図５】
2015221279.tif 000007
【図６】
2015221279.tif 000008
【図７】
2015221279.tif 000009
【図８】
2015221279.tif 000010
【図９】
2015221279.tif 000011
【図１０】
2015221279.tif 000012
【図１１】
2015221279.tif 000013
【図１２】
2015221279.tif 000014
【図１３】
2015221279.tif 000015
【図１４】
2015221279.tif 000016
【図１５】
2015221279.tif 000017
【図１６】
2015221279.tif 000018
【図１７】
2015221279.tif 000019
【図１８】
2015221279.tif 000020
【図１９】
2015221279.tif 000021
【図２０】
2015221279.tif 000022
【図２１】
2015221279.tif 000023
【図２２】
2015221279.tif 000024